(57)【要約】【課題】蓄電モジュールの小型化を図ることができる蓄電装置を提供する。【解決手段】蓄電モジュール２は、蓄電セル８が正極集電板１６及び負極集電板１７を介して積層されてなるセルスタック３と、蓄電セル８の積層方向に延在し、正極集電板１６と電気的に接続された正極バスバー５と、蓄電セル８の積層方向に延在し、負極集電板１７と電気的に接続された負極バスバー６とを有し、正極バスバー５は、セルスタック３の一端側においてセルスタック３の一端面と対向するように折り曲げられた正極折り曲げ部２２を有し、負極バスバー６は、セルスタック３の他端側においてセルスタック３の他端面と対向するように折り曲げられた負極折り曲げ部２４を有し、各蓄電モジュール２の正極折り曲げ部２２同士は正極接続バスバー２８を介して接続され、各蓄電モジュール２の負極折り曲げ部２４同士は負極接続バスバー２９を介して接続されている。【選択図】図１
2019186118.tif 000002
【特許請求の範囲】
【請求項１】
複数の蓄電モジュールを備えた蓄電装置において、
前記蓄電モジュールは、複数の電極を含んで構成される蓄電セルが正極集電板及び負極集電板を介して第１方向に積層されてなるセルスタックと、前記第１方向に延在し、前記正極集電板と電気的に接続された正極バスバーと、前記第１方向に延在し、前記負極集電板と電気的に接続された負極バスバーとを有し、
前記複数の蓄電モジュールは、前記第１方向に垂直な第２方向に並んで配置されており、
前記正極バスバーは、前記セルスタックの前記第１方向の一端側において前記セルスタックの前記第１方向の一端面と対向するように折り曲げられた正極折り曲げ部を有し、
前記負極バスバーは、前記セルスタックの前記第１方向の他端側において前記セルスタックの前記第１方向の他端面と対向するように折り曲げられた負極折り曲げ部を有し、
前記複数の蓄電モジュールの前記正極折り曲げ部同士は、正極接続バスバーを介して接続されており、
前記複数の蓄電モジュールの前記負極折り曲げ部同士は、負極接続バスバーを介して接続されている蓄電装置。
【請求項２】
前記正極バスバー及び前記負極バスバーは、前記セルスタックに対して前記第１方向及び前記第２方向に垂直な第３方向の同じ側において前記第２方向に並んで配置されている請求項１記載の蓄電装置。
【請求項３】
前記蓄電モジュールは、前記セルスタックの前記第１方向の両側に配置され、前記蓄電セルを前記第１方向に拘束する１対のエンドプレートと、前記セルスタックに対して前記正極バスバー及び前記負極バスバーと前記第１方向及び前記第２方向に垂直な第３方向の同じ側に配置され、前記第１方向に延在するカバー部材とを有し、
前記カバー部材の前記第１方向の両端部には、固定具により前記エンドプレートに固定される固定部がそれぞれ設けられており、
前記正極折り曲げ部は、前記エンドプレートを挟んで前記セルスタックの前記一端面と対向しており、
前記負極折り曲げ部は、前記エンドプレートを挟んで前記セルスタックの前記他端面と対向しており、
前記正極接続バスバー及び前記負極接続バスバーは、前記第１方向において前記固定具よりも前記セルスタックの反対側に配置されている請求項１または２記載の蓄電装置。
【請求項４】
前記蓄電モジュールは、前記セルスタックの前記第１方向の両側に配置され、前記蓄電セルを前記第１方向に拘束する１対のエンドプレートを有し、
前記エンドプレートは、前記セルスタックを前記第１方向に挟む拘束部と、前記拘束部から前記セルスタックの反対側に張り出したベース部とを有し、
前記正極接続バスバー及び前記負極接続バスバーは、前記第１方向において前記ベース部の先端よりも前記セルスタック側に配置されている請求項１〜３の何れか一項記載の蓄電装置。
【発明の詳細な説明】
【技術分野】
【０００１】
本発明は、蓄電装置に関する。
【背景技術】
【０００２】
従来の蓄電装置としては、例えば特許文献１に記載されている組電池が知られている。特許文献１に記載の組電池は、複数の単電池と、各単電池の端子同士を電気的に接続するバスバーとを備えている。
【先行技術文献】
【特許文献】
【０００３】
【特許文献１】特開２０１８−１０８３６号公報
【発明の概要】
【発明が解決しようとする課題】
【０００４】
ところで、蓄電装置としては、複数の蓄電モジュールが並んで配置されることがある。例えば蓄電モジュールは、複数の蓄電セルが正極集電板及び負極集電板を介して積層されてなるセルスタックと、蓄電セルの積層方向に延在し、正極集電板と電気的に接続された正極バスバーと、蓄電セルの積層方向に延在し、負極集電板と電気的に接続された負極バスバーとを有している。複数の蓄電モジュールの正極バスバー同士は、正極接続バスバーを介して接続される。複数の蓄電モジュールの負極バスバー同士は、負極接続バスバーを介して接続される。従って、正極バスバーに正極接続バスバーの接続領域を確保するために、セルスタックの積層方向の一端側において正極バスバーを積層方向の外側に延ばす必要があり、負極バスバーに負極接続バスバーの接続領域を確保するために、セルスタックの積層方向の他端側において負極バスバーを積層方向の外側に延ばす必要がある。このため、正極バスバー及び負極バスバーが蓄電セルの積層方向に長くなる。その結果、蓄電モジュールの体格が蓄電セルの積層方向に大きくなってしまう。
【０００５】
本発明の目的は、蓄電モジュールの小型化を図ることができる蓄電装置を提供することである。
【課題を解決するための手段】
【０００６】
本発明の一態様は、複数の蓄電モジュールを備えた蓄電装置において、蓄電モジュールは、複数の電極を含んで構成される蓄電セルが正極集電板及び負極集電板を介して第１方向に積層されてなるセルスタックと、第１方向に延在し、正極集電板と電気的に接続された正極バスバーと、第１方向に延在し、負極集電板と電気的に接続された負極バスバーとを有し、複数の蓄電モジュールは、第１方向に垂直な第２方向に並んで配置されており、正極バスバーは、セルスタックの第１方向の一端側においてセルスタックの第１方向の一端面と対向するように折り曲げられた正極折り曲げ部を有し、負極バスバーは、セルスタックの第１方向の他端側においてセルスタックの第１方向の他端面と対向するように折り曲げられた負極折り曲げ部を有し、複数の蓄電モジュールの正極折り曲げ部同士は、正極接続バスバーを介して接続されており、複数の蓄電モジュールの負極折り曲げ部同士は、負極接続バスバーを介して接続されている。
【０００７】
このような蓄電装置において、正極バスバーは、セルスタックの第１方向の一端側においてセルスタックの第１方向の一端面と対向するように折り曲げられた正極折り曲げ部を有し、負極バスバーは、セルスタックの第１方向の他端側においてセルスタックの第１方向の他端面と対向するように折り曲げられた負極折り曲げ部を有している。そして、正極折り曲げ部に正極接続バスバーが接続され、負極折り曲げ部に負極接続バスバーが接続されている。従って、正極バスバー及び負極バスバーの第１方向の長さが短くなるため、蓄電モジュールの第１方向の寸法が小さくなる。これにより、蓄電モジュールの小型化を図ることができる。
【０００８】
正極バスバー及び負極バスバーは、セルスタックに対して第１方向及び第２方向に垂直な第３方向の同じ側において第２方向に並んで配置されていてもよい。このような構成では、正極バスバーがセルスタックに対して第３方向の一方側に配置され、負極バスバーがセルスタックに対して第３方向の他方側に配置されている場合に比べて、蓄電モジュールの第３方向の寸法が小さくなる。これにより、蓄電モジュールの更なる小型化を図ることができる。
【０００９】
蓄電モジュールは、セルスタックの第１方向の両側に配置され、蓄電セルを第１方向に拘束する１対のエンドプレートと、セルスタックに対して正極バスバー及び負極バスバーと第１方向及び第２方向に垂直な第３方向の同じ側に配置され、第１方向に延在するカバー部材とを有し、カバー部材の第１方向の両端部には、固定具によりエンドプレートに固定される固定部がそれぞれ設けられており、正極折り曲げ部は、エンドプレートを挟んでセルスタックの一端面と対向しており、負極折り曲げ部は、エンドプレートを挟んでセルスタックの他端面と対向しており、正極接続バスバー及び負極接続バスバーは、第１方向において固定具よりもセルスタックの反対側に配置されていてもよい。このような構成では、正極接続バスバー及び負極接続バスバーが第１方向において固定具よりもセルスタックの反対側に配置されているため、正極接続バスバー及び負極接続バスバーの面積を大きくしても、正極接続バスバー及び負極接続バスバーが固定具に干渉することがない。正極接続バスバー及び負極接続バスバーの面積を大きくすることにより、正極接続バスバー及び負極接続バスバーの電気抵抗を低減することができる。
【００１０】
蓄電モジュールは、セルスタックの第１方向の両側に配置され、蓄電セルを第１方向に拘束する１対のエンドプレートを有し、エンドプレートは、セルスタックを第１方向に挟む拘束部と、拘束部からセルスタックの反対側に張り出したベース部とを有し、正極接続バスバー及び負極接続バスバーは、第１方向においてベース部の先端よりもセルスタック側に配置されていてもよい。このような構成では、正極接続バスバー及び負極接続バスバーが第１方向においてエンドプレートのベース部の先端よりもセルスタック側に配置されているため、正極バスバー及び負極バスバーの第１方向の長さが一層短くなる。このため、蓄電モジュールの第１方向の寸法が一層小さくなる。これにより、蓄電モジュールの更なる小型化を図ることができる。
【発明の効果】
【００１１】
本発明によれば、蓄電モジュールの小型化を図ることができる。
【図面の簡単な説明】
【００１２】
【図１】本発明の一実施形態に係る蓄電装置を示す概略斜視図である。
【図２】図１のII−II線断面図である。
【図３】図１のIII−III線断面図である。
【図４】図１に示された蓄電セルを正極集電板及び負極集電板と共に示す斜視図である。
【図５】図４に示された蓄電セルの断面図である。
【図６】比較例としての蓄電装置を示す断面図であり、図２に対応する図である。
【発明を実施するための形態】
【００１３】
以下、本発明の実施形態について、図面を参照して詳細に説明する。なお、図面において、同一または同等の要素には同じ符号を付し、重複する説明を省略する。
【００１４】
図１は、本発明の一実施形態に係る蓄電装置を示す概略斜視図である。図２は、図１のII−II線断面図である。図３は、図１のIII−III線断面図である。図１〜図３において、本実施形態の蓄電装置１は、例えばフォークリフト、ハイブリッド自動車または電気自動車等の各種車両のバッテリとして用いられる。
【００１５】
蓄電装置１は、複数（ここでは２つ）の蓄電モジュール２を備えている。蓄電モジュール２は、セルスタック３と、１対のエンドプレート４と、正極バスバー５と、負極バスバー６と、カバー部材７とを有している。
【００１６】
セルスタック３は、複数の蓄電セル８を積層することにより構成されている。セルスタック３は、例えば１００体程度の蓄電セル８の集合体である。以下の説明では、蓄電セル８の積層方向をＸ方向（第１方向）とし、蓄電セル８の幅方向をＹ方向（第２方向）とし、蓄電セル８の高さ方向をＺ方向（第３方向）とする。Ｙ方向は、Ｘ方向に垂直な方向である。Ｚ方向は、Ｘ方向及びＹ方向に垂直な方向である。２つの蓄電モジュール２は、Ｙ方向に並んで配置されている。
【００１７】
蓄電セル８は、扁平な略直方体形状をなす単電池である。蓄電セル８は、例えばニッケル水素二次電池またはリチウムイオン二次電池等の二次電池であってもよく、電気二重層キャパシタであってもよい。また、蓄電セル８は、全固体電池であってもよい。本実施形態では、蓄電セル８がバイポーラ型のリチウムイオン二次電池である場合を例示する。
【００１８】
蓄電セル８は、図４及び図５にも示されるように、電極積層体９と、保持部材１０とを有している。電極積層体９は、複数のバイポーラ電極１１がセパレータ１２を介して積層されてなる構造を有している。バイポーラ電極１１は、集電体１３と、この集電体１３の一方面に形成された正極層１４と、集電体１３の他方面に形成された負極層１５とを有している。
【００１９】
集電体１３は、略矩形状を呈するシート状の導電部材である。集電体１３は、例えば金属箔または合金箔である。金属箔としては、例えば銅箔、アルミニウム箔、チタン箔またはニッケル箔が挙げられる。集電体１３が金属箔である場合、機械的強度を確保する観点からアルミニウム箔を用いることが好適である。合金箔としては、例えばステンレス鋼箔または上記金属の合金箔が挙げられる。集電体１３が合金箔またはアルミニウム箔以外の金属箔である場合、集電体１３の表面にアルミニウムが被覆されていてもよい。
【００２０】
正極層１４は、正極活物質と電解質とを含んでいる。正極活物質は、例えば複合酸化物、金属リチウムまたは硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質またはゲル状電解質である。固体電解質は、ジルコニアまたはβアルミナを含む。固体高分子電解質は、例えばポリエチレンオキシド（ＰＥＯ）、ポリプロピレンオキシド（ＰＰＯ）等のアルキレンオキシド系高分子化合物、若しくはこれらの共重合体を含む。ゲル状電解質は、流動性を完全に若しくはほぼ完全に示さない電解質である。例えば２０℃におけるゲル状電解質の粘度は、０．１Ｐａ・Ｓ以上である。
【００２１】
正極層１４が固体高分子電解質を含む場合、正極層１４は、例えばイオン伝導性を高めるための支持塩、電子伝導性を高めるための導電助剤、粘度調整溶媒及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、若しくはこれらの混合物である。導電助剤は、例えばアセチレンブラック、カーボンブラックまたはグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００２２】
負極層１５は、負極活物質と電解質とを含んでいる。負極活物質は、例えば黒鉛、高配向性グラファイト、メソカーボンマイクロビーズ、ハードカーボンまたはソフトカーボン等のカーボン、リチウム、ナトリウム等のアルカリ金属、金属化合物、リチウムと合金化可能な元素であるシリコン、スズまたはその化合物、或いはホウ素添加炭素等である。負極層１５の電解質は、例えば正極層１４に含まれる電解質と同様である。
【００２３】
セパレータ１２は、隣り合うバイポーラ電極１１同士を隔てる層状部材であり、略矩形状を呈している。セパレータ１２は、正極層１４及び負極層１５に含まれる電解質によって構成されている。また、セパレータ１２は、電解質を充填可能な多孔質膜であってもよい。セパレータ１２が固体電解質によって構成される場合、セパレータ１２は、略矩形の板状を呈していてもよい。
【００２４】
電極積層体９の積層方向の両端には、集電体１３がそれぞれ設けられている。電極積層体９の一端（図６の紙面右側の端）に位置する集電体１３には、正極層１４のみが形成されている。電極積層体９の他端（図６の紙面左側の端）に位置する集電体１３には、負極層１５のみが形成されている。
【００２５】
保持部材１０は、電極積層体９を保持する部材である。保持部材１０は、電極積層体９の幅方向の両側面、頂面及び底面を囲む矩形枠状を呈している。保持部材１０は、例えば絶縁性及び耐熱性を有する樹脂により形成されている。保持部材１０を形成する樹脂としては、例えばポリイミド、ポリプロピレン（ＰＰ）、ポリフェニレンサルファイド（ＰＰＳ）、ナイロン６６（ＰＡ６６）等が挙げられる。保持部材１０は、バイポーラ電極１１を封止し、バイポーラ電極１１同士の短絡を防止する機能を合わせ持っている。
【００２６】
蓄電セル８同士は、正極集電板１６及び負極集電板１７を介して積層されている。正極集電板１６及び負極集電板１７は、蓄電セル８の主面と略同形の長方形状を呈する金属板である。蓄電セル８の主面は、電極積層体９の積層方向に交差する１対の面であり、具体的には、電極積層体９の積層方向の両端に位置する集電体１３の外側面である。正極集電板１６及び負極集電板１７は、例えば集電体１３と同じ金属材料で形成されている。正極集電板１６及び負極集電板１７は、蓄電セル８を積層方向に挟むように配置されている。正極集電板１６は、正極層１４のみが形成された集電体１３の外側面に接触している。負極集電板１７は、負極層１５のみが形成された集電体１３の外側面に接触している。
【００２７】
正極集電板１６は、正極バスバー５と接合される正極タブ１６ａを有している。正極タブ１６ａは、蓄電セル８の幅方向の一方側において電極積層体９に対して蓄電セル８の高さ方向に突出している。具体的には、正極タブ１６ａは、セルスタック３の頂面側に突出している。正極タブ１６ａの先端側は、蓄電セル８の外側に屈曲している。各正極集電板１６の正極タブ１６ａの屈曲部分は、蓄電セル８の積層方向の一方側を向いて揃っている。そして、各正極集電板１６の正極タブ１６ａの屈曲部分に対して正極バスバー５が溶接等により接合されている（図２参照）。なお、正極タブ１６ａの幅は、正極集電板１６の幅の半分よりも小さい。また、各正極集電板１６の正極タブ１６ａの幅は、互いに等しい。
【００２８】
負極集電板１７は、負極バスバー６と接合される負極タブ１７ａを有している。負極タブ１７ａは、蓄電セル８の幅方向の他方側において電極積層体９に対して蓄電セル８の高さ方向に突出している。具体的には、負極タブ１７ａは、セルスタック３の頂面側に突出している。負極タブ１７ａの先端側は、蓄電セル８の外側に屈曲している。負極タブ１７ａの屈曲方向は、正極タブ１６ａの屈曲方向と逆向きとなっている。各負極集電板１７の負極タブ１７ａの屈曲部分は、蓄電セル８の積層方向の他方側を向いて揃っている。そして、各負極集電板１７の負極タブ１７ａの屈曲部分に対して負極バスバー６が溶接等により接合されている（図３参照）。なお、負極タブ１７ａの幅は、負極集電板１７の幅の半分よりも小さい。また、各負極集電板１７の負極タブ１７ａの幅は、互いに等しい。負極タブ１７ａは、幅方向において正極タブ１６ａから離間している。
【００２９】
エンドプレート４は、蓄電セル８を積層方向に拘束することにより、蓄電セル８の積層方向への位置ずれを規制する拘束部材である。エンドプレート４は、セルスタック３の積層方向の両側に配置されている。エンドプレート４は、側面視Ｌ字状を呈している。具体的には、エンドプレート４は、セルスタック３を積層方向に挟む拘束部１８と、この拘束部１８の高さ方向の一端部からセルスタック３の反対側（積層方向の外側）に張り出したベース部１９とを有している。エンドプレート４は、例えば金属または合金により形成されている。
【００３０】
１対のエンドプレート４同士は、ボルト及びナット等の締結部材により連結されていてもよい。この場合には、締結部材の締め付け力によって、エンドプレート４を介して積層方向に沿った拘束荷重がセルスタック３に付加される。
【００３１】
セルスタック３の積層方向の両端に位置する蓄電セル８とエンドプレート４との間には、絶縁緩衝部材２０が配置されている。絶縁緩衝部材２０は、蓄電セル８の膨張を吸収する機能を有している。絶縁緩衝部材２０は、例えば蓄電セル８の主面と同程度の面積を有する直方体形状を呈している。絶縁緩衝部材２０の形成材料としては、例えばＰＰ、ＰＰＳまたはＰＡ６６等が挙げられる。
【００３２】
正極バスバー５及び負極バスバー６は、セルスタック３に対して蓄電セル８の高さ方向の同じ側において蓄電セル８の幅方向に並んで配置されている。具体的には、正極バスバー５及び負極バスバー６は、セルスタック３の頂面側において所定の間隔をもって配置されている。正極バスバー５及び負極バスバー６は、エンドプレート４の拘束部１８の高さ方向の他端側（ベース部１９とは反対側）に配置されている。正極バスバー５及び負極バスバー６は、平面視で矩形の板状を呈している。
【００３３】
正極バスバー５は、蓄電セル８の積層方向に延在し、各正極集電板１６と電気的に接続されたバスバー本体部２１と、このバスバー本体部２１の積層方向の一端部に設けられた正極折り曲げ部２２とを有している（図２参照）。正極折り曲げ部２２は、セルスタック３の積層方向の一端側において、エンドプレート４の拘束部１８及び絶縁緩衝部材２０を挟んでセルスタック３の積層方向の一側面と対向するように、バスバー本体部２１に対して垂直に折り曲げられている。正極折り曲げ部２２は、積層方向においてエンドプレート４のベース部１９の先端１９ａよりもセルスタック３側（積層方向の内側）に配置されている。
【００３４】
負極バスバー６は、蓄電セル８の積層方向に延在し、各負極集電板１７と電気的に接続されたバスバー本体部２３と、このバスバー本体部２３の積層方向の一端部に設けられた負極折り曲げ部２４とを有している（図３参照）。負極折り曲げ部２４は、セルスタック３の積層方向の他端側において、エンドプレート４の拘束部１８及び絶縁緩衝部材２０を挟んでセルスタック３の積層方向の他側面と対向するように、バスバー本体部２３に対して垂直に折り曲げられている。負極折り曲げ部２４は、積層方向においてエンドプレート４のベース部１９の先端１９ａよりもセルスタック３側に配置されている。
【００３５】
正極バスバー５及び負極バスバー６の形成材料は、例えば銅、アルミニウム、チタンまたはニッケル等の金属であってもよく、ステンレス鋼、或いは前述の金属の合金等であってもよい。
【００３６】
カバー部材７は、セルスタック３に対して正極バスバー５及び負極バスバー６と高さ方向の同じ側に配置されている。具体的には、カバー部材７は、セルスタック３の頂面側において正極バスバー５と負極バスバー６との間に配置されている。カバー部材７は、蓄電セル８を高さ方向に拘束することにより、蓄電セル８の高さ方向への位置ずれを規制するバンド状の拘束部材である。カバー部材７は、蓄電セル８の積層方向に延在するカバー本体部２５と、このカバー本体部２５の積層方向の両端部にそれぞれ設けられ、複数のボルト２６（固定具）によりエンドプレート４の拘束部１８に固定される１対の固定部２７とを有している。
【００３７】
また、蓄電装置１は、各蓄電モジュール２の正極バスバー５の正極折り曲げ部２２同士を接続する正極接続バスバー２８と、各蓄電モジュール２の負極バスバー６の負極折り曲げ部２４同士を接続する負極接続バスバー２９とを備えている。正極接続バスバー２８及び負極接続バスバー２９は、平面視で矩形の板状を呈している。
【００３８】
正極接続バスバー２８は、正極折り曲げ部２２の外側面に接合されている。正極接続バスバー２８の幅寸法（高さ方向の寸法）は、例えば正極折り曲げ部２２の幅寸法と略等しい。正極接続バスバー２８は、積層方向においてボルト２６よりもセルスタック３の反対側（積層方向の外側）に配置されている。また、正極接続バスバー２８は、積層方向においてエンドプレート４のベース部１９の先端１９ａよりもセルスタック３側（積層方向の内側）に配置されている。正極接続バスバー２８には、正極取出端子（図示せず）が接続されている。
【００３９】
負極接続バスバー２９は、負極折り曲げ部２４の外側面に接合されている。負極接続バスバー２９の幅寸法は、例えば負極折り曲げ部２４の幅寸法と略等しい。負極接続バスバー２９は、積層方向においてボルト２６よりもセルスタック３の反対側に配置されている。また、負極接続バスバー２９は、積層方向においてエンドプレート４のベース部１９の先端１９ａよりもセルスタック３側に配置されている。負極接続バスバー２９には、負極取出端子（図示せず）が接続されている。
【００４０】
図６は、比較例としての蓄電装置を示す断面図であり、図２に対応する図である。図６において、本比較例の蓄電装置５０では、正極バスバー５は、蓄電セル８の積層方向に真っ直ぐに延在している。このとき、正極バスバー５に正極接続バスバー２８の接続領域を確保するために、セルスタック３の積層方向の一端側において正極バスバー５がエンドプレート４からセルスタック３の反対側（積層方向の外側）に突出している。また、図示はされていないが、負極バスバー６は、蓄電セル８の積層方向に真っ直ぐに延在している。このとき、負極バスバー６に負極接続バスバー２９の接続領域を確保するために、セルスタック３の積層方向の他端側において負極バスバー６がエンドプレート４からセルスタック３の反対側に突出している。
【００４１】
このように正極バスバー５及び負極バスバー６がエンドプレート４から突出しているため、正極バスバー５及び負極バスバー６が積層方向に長くならざるを得ない。従って、蓄電モジュール２の積層方向の寸法が大きくなるため、蓄電モジュール２の体格が増大してしまう。
【００４２】
そのような課題に対し、本実施形態では、正極バスバー５は、セルスタック３の積層方向の一端側においてセルスタック３の積層方向の一端面と対向するように折り曲げられた正極折り曲げ部２２を有し、負極バスバー６は、セルスタック３の積層方向の他端側においてセルスタック３の積層方向の他端面と対向するように折り曲げられた負極折り曲げ部２４を有している。そして、正極折り曲げ部２２に正極接続バスバー２８が接続され、負極折り曲げ部２４に負極接続バスバー２９が接続されている。従って、正極バスバー５及び負極バスバー６の積層方向の長さが短くなるため、蓄電モジュール２の積層方向の寸法が小さくなる。これにより、蓄電モジュール２の小型化を図ることができる。
【００４３】
また、本実施形態では、正極バスバー５及び負極バスバー６は、セルスタック３に対して蓄電セル８の高さ方向の同じ側において蓄電セル８の幅方向に並んで配置されている。このような構成では、正極バスバー５がセルスタック３に対して蓄電セル８の高さ方向の一方側に配置され、負極バスバー６がセルスタック３に対して蓄電セル８の高さ方向の他方側に配置されている場合に比べて、蓄電モジュール２の高さ方向の寸法が小さくなる。これにより、蓄電モジュール２の更なる小型化を図ることができる。
【００４４】
また、本実施形態では、正極接続バスバー２８及び負極接続バスバー２９が積層方向においてボルト２６よりもセルスタック３の反対側に配置されているため、正極接続バスバー２８及び負極接続バスバー２９の面積を大きくしても、正極接続バスバー２８及び負極接続バスバー２９がボルト２６に干渉することがない。正極接続バスバー２８及び負極接続バスバー２９の面積を大きくすることにより、正極接続バスバー２８及び負極接続バスバー２９の電気抵抗を低減することができる。
【００４５】
また、本実施形態では、正極接続バスバー２８及び負極接続バスバー２９が積層方向においてエンドプレート４のベース部１９の先端１９ａよりもセルスタック３側に配置されているため、正極バスバー５及び負極バスバー６の積層方向の長さが一層短くなる。このため、蓄電モジュール２の積層方向の寸法が一層小さくなる。これにより、蓄電モジュール２の更なる小型化を図ることができる。
【００４６】
なお、本発明は、上記実施形態には限定されない。例えば上記実施形態では、正極接続バスバー２８及び負極接続バスバー２９が積層方向においてボルト２６よりもセルスタック３の反対側に配置されているが、正極接続バスバー２８及び負極接続バスバー２９の配置位置としては、特にその形態には限られず、カバー部材７の固定部２７及びボルト２６に干渉することがなければ、例えばボルト２６に対応する位置であってもよい。
【００４７】
また、上記実施形態では、正極接続バスバー２８及び負極接続バスバー２９が積層方向においてエンドプレート４のベース部１９の先端１９ａよりもセルスタック３側に配置されているが、正極接続バスバー２８及び負極接続バスバー２９の配置位置としては、特にその形態には限られず、積層方向においてエンドプレート４のベース部１９の先端１９ａに対応する位置であってもよいし、積層方向においてエンドプレート４のベース部１９の先端１９ａよりもセルスタック３の反対側であってもよい。このような場合でも、正極接続バスバー２８が正極折り曲げ部２２に接続され、負極接続バスバー２９が負極折り曲げ部２４に接続されるため、正極バスバー５及び負極バスバー６が全体的に蓄電セル８の積層方向に延在する構造に比べて、正極バスバー５及び負極バスバー６の積層方向の長さが短くなる。
【００４８】
また、上記実施形態では、エンドプレート４は、拘束部１８及びベース部１９からなる側面視Ｌ字状を呈しているが、エンドプレート４としては、特にそれには限られず、例えば拘束部１８のみからなっていてもよい。
【００４９】
また、上記実施形態では、正極バスバー５及び負極バスバー６は、セルスタック３に対して蓄電セル８の高さ方向の同じ側に配置されているが、特にその形態には限られず、正極バスバー５がセルスタック３に対して蓄電セル８の高さ方向の一方側に配置され、負極バスバー６がセルスタック３に対して蓄電セル８の高さ方向の他方側に配置されていてもよい。この場合には、例えばカバー部材７がセルスタック３に対して蓄電セル８の高さ方向の一方側及び他方側にそれぞれ配置される。
【００５０】
また、上記実施形態では、蓄電セル８を高さ方向に拘束するカバー部材７が備えられているが、そのようなカバー部材７は、特に無くてもよい。
【００５１】
また、上記実施形態では、正極バスバー５及び負極バスバー６が蓄電モジュール２に１つずつ設けられているが、特にその形態には限られず、正極バスバー５及び負極バスバー６が蓄電モジュール２に複数設けられていてもよい。
【００５２】
また、上記実施形態では、２つの蓄電モジュール２が蓄電セル８の幅方向に並んで配置されているが、特にその形態には限られず、３つ以上の蓄電モジュール２が蓄電セル８の幅方向に並んで配置されていてもよい。
【符号の説明】
【００５３】
１…蓄電装置、２…蓄電モジュール、３…セルスタック、４…エンドプレート、５…正極バスバー、６…負極バスバー、７…カバー部材、８…蓄電セル、１１…バイポーラ電極（電極）、１６…正極集電板、１７…負極集電板、１８…拘束部、１９…ベース部、１９ａ…先端、２２…正極折り曲げ部、２４…負極折り曲げ部、２６…ボルト（固定具）、２７…固定部、２８…正極接続バスバー、２９…負極接続バスバー。
【図１】
2019186118.tif 000003
【図２】
2019186118.tif 000004
【図３】
2019186118.tif 000005
【図４】
2019186118.tif 000006
【図５】
2019186118.tif 000007
【図６】
2019186118.tif 000008